(57)【特許請求の範囲】
【請求項１】
背面を遊技盤の表面に接触させて遊技盤に固定される取付板と、前記取付板の軸受溝に挿入された一対の軸を中心にして起立位置と倒伏位置とに往復変位可能な開閉板と、該開閉板が前記起立位置にあるときに閉鎖され前記倒伏位置にあるときは開放され、該開放時には前記倒伏している開閉板上を通過してきた遊技球を流入させる入賞開口と、該入賞開口を通過した遊技球をいずれかに流入させるべく配された第１及び第２の内部領域とを備える入賞装置において、
周囲を取り囲むフランジ部の表面よりも遊技者側に突出し前記入賞開口が開設された突出部が設けられた前記取付板と、
前記軸の軸芯を前記フランジ部の表面よりも遊技者側にした前記開閉板と、
前記入賞開口と第１及び第２の内部領域との間に介在し、前記入賞開口から第１及び第２の内部領域に至る経路を横切る方向に沿って第１位置と第２位置とに往復移動し、前記第１位置では前記入賞開口を通過した遊技球を前記第２の内部領域に流入し難くし、前記第２位置では前記入賞開口を通過した遊技球を前記第１の内部領域に流入し難くする移動体と、
該移動体を往復駆動する駆動手段と
を備えたことを特徴とする入賞装置。
【請求項２】
請求項１記載の入賞装置において、
前記軸受溝は前記突出部の背面側に設けられていることを特徴とする入賞装置。
【請求項３】
請求項１または２記載の入賞装置において、
前記第１の内部領域と前記第２の内部領域とを遊技球の直径の２倍を超える軸間距離で前記入賞開口側から見て左右に並べて配置し、
前記移動体は、前記内部領域同士の軸間距離と同間隔で配される一対の邪魔板を有しており、前記第１位置では前記入賞開口と前記第２の内部領域との間に前記邪魔板の一方を割り込ませて該第２の内部領域の前方のみを全面的に遮り、前記第２位置では前記入賞開口と前記第１の内部領域との間に前記邪魔板の他方を割り込ませて該第１の内部領域の前方のみを全面的に遮ることにより、前記第１位置では前記入賞開口を通過した遊技球を前記第２の内部領域に流入し難くし、前記第２位置では前記入賞開口を通過した遊技球を前記第１の内部領域に流入し難くする
ことを特徴とする入賞装置。
【発明の詳細な説明】
【０００１】
【発明の属する技術分野】
本発明は、パチンコ機に代表される弾球遊技機の技術分野に属し、詳しくは弾球遊技機に装備される入賞装置に関する。
【０００２】
【従来の技術】
パチンコ機等の弾球遊技機には入賞困難な状態と入賞容易な状態とに変化する可変入賞装置が装備されることが多い。そうした可変入賞装置の一種にアタッカーと呼ばれる形態のものがある。このアタッカーは、起立位置と倒伏位置とに往復変位可能な開閉板と、開閉板が起立位置にあるときに閉鎖され倒伏位置にあるときは開放され、開放時には倒伏している開閉板上を通過してきた遊技球を流入させる入賞開口とを備えており、いわゆる大当たり時に開放される大入賞口として使用されることが多い。
【０００３】
大入賞口として使用する場合、その内部に特別領域と非特別領域とを設定しておき、入賞した遊技球が特別領域を通過すれば大入賞口を継続開放させる遊技形態がある。この場合、継続開放するかしないかの不確実性が要求されることから、大入賞口の１回の開放期間における入賞球が特別領域を通過する確率をある程度に抑えている。現状では、この確率はほぼ１／３と規定されており、大入賞口の１回の開放期間での入賞球数は約１０球であるから、その中の３球程度が特別領域を通過する計算となる。
【０００４】
一方、遊技者にとっては、入賞球が特別領域を通過する確率が高ければ高いほど好ましいわけで、事実上１００％となることを望んでいる。そのため、かつては入賞球のほとんどを特別領域に誘導するような構造としたり、また見かけ上の確率を低くするために特別領域に１球流入するとその入口を閉鎖したり、特別領域の入口に１球目を滞留させて後続が特別領域に流入するのを阻んでいた。
【０００５】
【発明が解決しようとする課題】
しかし、入賞球のほとんどを特別領域に誘導するような構造では特別領域と非特別領域とを設定する意味が無くなり、特別領域への流入を阻止するのは入球不可能な入口を設けたのと同等になり弾球遊技の本質から外れるおそれがあった。
【０００６】
【課題を解決するための手段及び発明の効果】
請求項１記載の入賞装置は、背面を遊技盤の表面に接触させて遊技盤に固定される取付板と、前記取付板の軸受溝に挿入された一対の軸を中心にして起立位置と倒伏位置とに往復変位可能な開閉板と、該開閉板が前記起立位置にあるときに閉鎖され前記倒伏位置にあるときは開放され、該開放時には前記倒伏している開閉板上を通過してきた遊技球を流入させる入賞開口と、該入賞開口を通過した遊技球をいずれかに流入させるべく配された第１及び第２の内部領域とを備える入賞装置において、周囲を取り囲むフランジ部の表面よりも遊技者側に突出し前記入賞開口が開設された突出部が設けられた前記取付板と、前記軸の軸芯を前記フランジ部の表面よりも遊技者側にした前記開閉板と、前記入賞開口と第１及び第２の内部領域との間に介在し、前記入賞開口から第１及び第２の内部領域に至る経路を横切る方向に沿って第１位置と第２位置とに往復移動し、前記第１位置では前記入賞開口を通過した遊技球を前記第２の内部領域に流入し難くし、前記第２位置では前記入賞開口を通過した遊技球を前記第１の内部領域に流入し難くする移動体と、該移動体を往復駆動する駆動手段とを備えたので、移動体を第１位置と第２位置に変位させることにより、第２の内部領域に流入し難くしたり第１の内部領域に流入し難くしたりできる。逆に言えば、入賞球を第１の内部領域に誘導したり第２の内部領域に誘導したりできる。
【０００７】
例えば第１の内部領域を上述の特定領域、第２の内部領域を上述の非特定領域とした場合、特定領域に１球以上の入賞球が流入するまでは移動体を第１位置（非特定領域には流入しにくい状態）とし、特定領域に入賞球が流入した後に移動体を第２位置（特定領域には流入しにくい状態）とすればよい。こうすると、入賞開口の開放初期に入賞した遊技球は主に特定領域に向かうことになるので、いずれか１球が特定領域に流入する可能性は高い。よって、継続開放の可能性が高まるから遊技者の要望に応じることができる。その後に移動体を第２位置（特定領域には流入しにくい状態）にすればよい。
【０００８】
ただし、移動体を第１位置にした場合には非特定領域（第２の内部領域）に流入しにくくなり、第２位置にした場合には特定領域（第１の内部領域）に流入しにくくなるだけで、いずれの場合も非特定領域（第２の内部領域）または特定領域（第１の内部領域）を閉鎖する（遊技球が流入不可能にする）わけではないから、特別領域と非特別領域とを設定する意味が無くなることもないし、入球不可能な入口をつくって弾球遊技の本質を外すおそれもない。
【０００９】
なお、移動体を第１位置にしたときには、第１の内部領域に流入する球数：第２の内部領域に流入する球数＝ほぼ８：２、第２位置にしたときには、第１の内部領域に流入する球数：第２の内部領域に流入する球数＝ほぼ２：８となるように設定するとよい。こうすると、入賞開口を通過した入賞球の中の１球目か２球目あたりで特定領域に流入するものが出ると想定でき、残りの８〜９球の内の２球程度が特定領域に流入すると想定できる。つまり、１０球中３球程度が特定領域に流入することになり、ほぼ１／３という確率を実現できる。
【００１０】
請求項３記載のように、第１の内部領域と第２の内部領域とを遊技球の直径の２倍を超える軸間距離で入賞開口側から見て左右に並べて配置して、移動体は、内部領域同士の軸間距離と同間隔で配される一対の邪魔板を有しており、第１位置では入賞開口と第２の内部領域との間に邪魔板の一方を割り込ませて該第２の内部領域の前方のみを全面的に遮り、第２位置では入賞開口と第１の内部領域との間に邪魔板の他方を割り込ませて該第１の内部領域の前方のみを全面的に遮る構成は、上記した内部領域に流入する球数の比（８：２、２：８）の実現に適している。
【００１１】
一対の邪魔板の一方を入賞開口と第２の内部領域との間に割り込ませることで第２の内部領域へ流入しにくくし（このとき他方の邪魔板は入賞開口から第１の内部領域へ向かう球の移動を邪魔しない位置とし）、他方の邪魔板を入賞開口と第１の内部領域との間に割り込ませることで第１の内部領域へ流入しにくくする（このとき一方の邪魔板は入賞開口から第２の内部領域へ向かう球の移動を邪魔しない位置とする）ので、簡単な構成である。
【００１２】
また請求項１記載の入賞装置は、開閉板の軸芯をフランジ部の表面よりも遊技者側にしたので、軸芯からガラス板までの距離を小さくできる。これに応じて軸芯から開閉板の先端までの寸法を小さくできるから、開閉板の該寸法に対応する入賞開口の開口高さを小さくできる。この結果、入賞開口が設けられている部分の上下寸法も小さくできる。
【００１３】
軸受溝は請求項２のように突出部の背面側に設けるとよい。
また、請求項３記載のように、請求項１又は２の入賞装置において、前記第１の内部領域と前記第２の内部領域とを遊技球の直径の２倍を超える軸間距離で前記入賞開口側から見て左右に並べて配置し、前記移動体は、前記内部領域同士の軸間距離と同間隔で配される一対の邪魔板を有しており、前記第１位置では前記入賞開口と前記第２の内部領域との間に前記邪魔板の一方を割り込ませて該第２の内部領域の前方のみを全面的に遮り、前記第２位置では前記入賞開口と前記第１の内部領域との間に前記邪魔板の他方を割り込ませて該第１の内部領域の前方のみを全面的に遮ることにより、前記第１位置では前記入賞開口を通過した遊技球を前記第２の内部領域に流入し難くし、前記第２位置では前記入賞開口を通過した遊技球を前記第１の内部領域に流入し難くする構成とするのは、上記した内部領域に流入する球数の比（８：２、２：８）の実現に適している。
【００１４】
【発明の実施の形態】
次に、本発明の実施例により発明の実施の形態を説明する。
【００１５】
【実施例１】
入賞装置に該当するアタッカー１０は、アタッカー１０を遊技盤（図示しない）に固定するための部材であり、またアタッカー１０を構成する各部を支持する部材でもあるベース板１１を備えている。
【００１６】
ベース板１１には大入賞口となる入賞開口１２が設けられ、その左右には普通入賞口用の穴１２ａ、１２ｂが設けられている。これらの穴１２ａ、１２ｂの前面には、それぞれ外体１３ａ、１４ａと内体１３ｂ、１４ｂからなる球受１３、１４が取り付けられている（図示は片側のみ）。
【００１７】
入賞開口１２には、開閉板に該当するシャッター１５が背面側から差し込まれている。シャッター１５はの軸１６は軸受溝１７に挿入され、その軸受溝１７に内部体２５の突起２４が嵌合して軸１６の脱落が防止されている。シャッター１５は軸１６を中心にして起立位置と倒伏位置とに往復変位可能で、起立位置では入賞開口１２を閉鎖し、倒伏位置では開放する。また、倒伏位置では入賞開口１２の前方に突出するので、上方から落下してくる遊技球を受け止めて、これを入賞開口１２に導き入れる働きをする。シャッター１５には梃子受１８が備わっており、この梃子受１８を介して作用する力により起立位置と倒伏位置とに往復駆動される（その駆動機構については後述）。
【００１８】
シャッター１５の背後側にはステージ２０が配される。ステージ２０の前面側には段差２１が設けられており、この段差２１にシャッター１５の後縁を受容している。つまり、シャッター１５の脱落を防止するとともに揺動変位の軸がずれるのを防止している。ステージ２０の中央部２２は手前（入賞開口１２側）が高く奥が低い傾斜となり、その左右部分２３はそれぞれ中央部２２側を低くする傾斜となっている。ステージ２０は、その背後の内部体２５によって保持されている。
【００１９】
内部体２５には入賞開口１２に対面する位置に受入室２６が設けられ、ステージ２０はこの受入室２６に収容されている。受入室２６の奥には内壁２７に開口された門部２７ａにて連通する振分室２８が設けられている。振分室２８の内部は、仕切２９によって左右に分割されており、その床部３０にはそれぞれＵ字状の切欠である落下口３１、３２が設けられている。また仕切２９の両サイドにはセンサ保持溝３３、３４が設けられている。仕切２９の背後部分は、門部２７ａの左右及び門部２７ａの上側の３箇所で内壁２７の背面に連接され、また落下口３１、３２の間で床部３０の後縁に連接されている十字部３５にて支持されている。
【００２０】
内壁２７の背面からは床部に平行にセンサロック３７、３８が延出されている。センサロック３７、３８と床部３０との距離はセンサ保持溝３３、３４の幅とほぼ等しく、センサ保持溝３３、センサロック３７及び床部３０にてＶスイッチ３９を保持し、センサ保持溝３４、センサロック３８及び床部３０にてカウントスイッチ４０を保持している。センサロック３７、３８はスイッチ３９、４０の装着に際しては弾性変形し、装着後は先端のフックにてスイッチ３９、４０の脱落を防止する。Ｖスイッチ３９及びカウントスイッチ４０を装着した状態では、スイッチ３９、４０の上面は仕切２９の上面よりもわずかに低い位置になり、また仕切２９の上面はステージ２０の上面よりもわずかに低い位置になっている。
【００２１】
したがって、入賞開口１２を通過してステージ２０上に流入した遊技球は、ステージ２０から直接または仕切２９上を通ってスイッチ３９、４０の上面に転動してくる。そして、スイッチ３９、４０の上面から通過口３９ａ、４０ａを通り、落下口３１、３２から落下する。遊技球は通過口３９ａ、４０ａを通過する際にスイッチ３９、４０を作動させることで検出される。これら通過口３９ａ、４０ａがそれぞれ第１の内部領域と第２の内部領域に該当する。
【００２２】
内部体２５の背後の正面から見て右側になる部分にはシャッター１５を駆動するための梃子部材４２、その支持ピン４３、それらをカバーする梃子カバー４４が取り付けられている。また、梃子カバー４４の背後にはサポート４５を介して背後体４６に支持される開閉ソレノイド４７が、駆動方向（プランジャの移動方向）を垂直方向にして配されている。そして、嵌合部４８ａを開閉ソレノイド４７のプランジャヘッド４７ａに嵌合させた中継部材４８のピン部４８ｂが梃子カバー４４を貫通して梃子部材４２に接続されている。これにより開閉ソレノイド４７のオン、オフに応じてシャッター１５を開閉（オンでシャッター１５を倒しオフで起立させることが）できる。
【００２３】
内部体２５の背後の正面から見て左側になる部分にはサポート４９を介して切換ソレノイド５０が取り付けられている。切換ソレノイド５０の駆動方向（プランジャの移動方向）は水平方向であり、開閉ソレノイド４７の駆動方向とは９０度ずれている。
【００２４】
切換ソレノイド５０のプランジャヘッド５０ａにはＬ字状の中継部材５１の嵌合部５１ａが嵌合されている。この中継部材５１のピン穴５１ｂを第１梃子５３の主軸５３ｃが貫通しており、主軸５３ｃから延出されたピン部５３ａは移動体５４の第１梃子穴５４ａに挿入されている。また、第１梃子５３の軸穴５３ｂは内部体２５の背面に立設された第１軸ピン５５に外嵌されており、第１梃子５３は第１軸ピン５５を中心にして回動自在である。
【００２５】
また、第１軸ピン５５と対照位置に立設された第２軸ピン５６が、第１梃子５３と対をなす第２梃子５７の軸穴５７ｂに挿通されており、第２梃子５７は第２軸ピン５６を中心にして回動自在である。そして、第２梃子５７のピン部５７ａは、移動体５４の第２梃子穴５４ｂに挿入されている。
【００２６】
移動体５４は第１梃子穴５４ａ及び第２梃子穴５４ｂが連設されているスライド板５８を水平方向に沿わせる姿勢で配され、その前方側（入賞開口１２側）の縁からは一対の邪魔板５９、６０が垂下されている。邪魔板５９、６０同士の間隔は、スイッチ３９、４０の通過口３９ａ、４０ａの軸間距離とほぼ等しく、また遊技球の直径の２倍を越えている。邪魔板５９、６０の横断面の形状はくさび状であり、前面（入賞開口１２側の面）は、そこに衝突した遊技球を邪魔板５９、６０同士の間隔側へ導くテーパ面５９ａ、６０ａとなっている。
【００２７】
移動体５４はスライド板５８を背後体４６の庇部６１ａ、６１ｂに載せる状態で支持され、庇部６１ａ、６１ｂの上面に沿って（摺動するわけではない）左右に移動できる。また、庇部６１ａ、６１ｂの間隔は十字部３５の縦部３５ａの幅をわずかに上回り、ここに縦部３５ａを挿通させ、自身は縦部３５ａと左右の腕部３５ｂ、３５ｃとの間に入り込んだ状態となっている。つまり、腕部３５ｂ、３５ｃ、庇部６１ａ、６１ｂ及び縦部３５ａにて、Ｖスイッチ３９及びカウントスイッチ４０の上方をドーム状に覆っている。
【００２８】
図５，６に示すように、切換ソレノイド５０がオフのとき（プランジャヘッド５０ａが突き出し位置のとき）には移動体５４は図において左側（通過口４０ａ側）とされ、邪魔板５９がステージ２０から通過口３９ａに至る経路を遮る位置になるので、入賞開口１２からステージ２０上に流入した遊技球は通過口４０ａ方向に導かれる。しかし、邪魔板５９は通過口３９ａの前方のみを遮り仕切２９の前方は遮っていないから、ステージ２０から仕切２９上を通って通過口３９ａに流入できる。本実施例で実験したところ、邪魔板５９が図５，６の位置にある場合には、入賞開口１２から流入した遊技球の内ほぼ８０％が通過口４０ａに流入しほぼ２０％が通過口３９ａに流入した。
【００２９】
一方、図７，８に示すように、切換ソレノイド５０がオンのとき（プランジャが引き込まれたとき）には邪魔板６０がステージ２０から通過口４０ａに至る経路を遮る位置になるので、入賞開口１２からステージ２０上に流入した遊技球は通過口３９ａ方向に導かれる。しかし、邪魔板６０は通過口４０ａの前方のみを遮り仕切２９の前方は遮っていないから、ステージ２０から仕切２９上を通って通過口４０ａに流入できる。本実施例で実験したところ、邪魔板６０が図７，８の位置にある場合には、入賞開口１２から流入した遊技球の内ほぼ８０％が通過口３９ａに流入しほぼ２０％が通過口４０ａに流入した。
【００３０】
いずれの場合も、邪魔板５９、６０のテーパ面５９ａ、６０ａが遊技球を邪魔板５９、６０の間に効率よく誘導した。
以上のように、このアタッカー１０は、移動体５４を左右に移動させることにより、入賞開口１２から流入した遊技球すなわち入賞球を通過口３９ａまたは通過口４０ａに優先的に誘導できる。
【００３１】
このため、アタッカー１０の開放初期から特定領域（通過口３９ａ）に１球以上の入賞球が流入するまでは移動体５４を図７，８に示す位置（通過口４０ａには流入しにくい状態）とし、通過口３９ａに入賞球が流入した後に移動体５４を図５，６に示す位置（通過口３９ａには流入しにくい状態）とすれば、入賞開口１２の開放初期に入賞した遊技球は主に特定領域とされている通過口３９ａに向かうことになるので、いずれか１球が特定領域に流入する可能性は高い。よって、継続開放の可能性が高まるから遊技者の要望に応じることができる。その後に移動体５４の位置を変えて特定領域とされる通過口３９ａには流入しにくい状態にすればよい。
【００３２】
このアタッカー１０は、一対の邪魔板６０を入賞開口１２と通過口４０ａとの間に割り込ませることで通過口４０ａへ流入しにくくし（このとき他方の邪魔板５９は入賞開口１２から通過口３９ａへ向かう球の移動を邪魔しない位置になっている。）、他方の邪魔板５９を入賞開口１２と通過口３９ａとの間に割り込ませることで通過口３９ａへ流入しにくくする（このとき邪魔板６０は入賞開口１２から通過口４０ａへ向かう球の移動を邪魔しない位置となっている。）ので、簡単な構成で済む。
【００３３】
移動体５４を駆動する切換ソレノイド５０の駆動力を伝達する中継部材５１が第１梃子５３の主軸５３ｃに連結されているので、切換ソレノイド５０のプランジャの変位を第１梃子５３にて増幅できるから、切換ソレノイド５０のストロークが小さくて済む。つまり小型化できる。
【００３４】
また、邪魔板５９、６０の入賞開口１２側の面は、この面に衝突した遊技球を邪魔板５９、６０同士の間隔側へ導くテーパ面５９ａ、６０ａとされているので、入賞開口１２を通過した遊技球が邪魔板５９、６０の入賞開口１２側に停滞するおそれはない。
【００３５】
しかも、邪魔板５９、６０同士の間隔は２個の遊技球が同時に通過可能な間隔であるから、邪魔板５９、６０同士の間隔で遊技球が詰まるおそれもない。
【００３６】
【実施例２】
入賞装置に該当するアタッカー１１０は、アタッカー１１０を遊技盤（図示しない）に固定するための部材であり、またアタッカー１１０を構成する各部を支持する部材でもある取付板１１１を備えている。
【００３７】
取付板１１１には大入賞口となる入賞開口１１２が開設されている突出部１１１ａと突出部１１１ａを取り囲むフランジ部１１１ｂとが設けられており、図１４に示すように突出部１１１ａはフランジ部１１１ｂの表面よりも遊技者側に突出している。
【００３８】
入賞開口１１２には、開閉板に該当するシャッター１１５が背面側から差し込まれている。シャッター１１５は、一対の軸１１６を取付板１１１の軸受溝１１７に挿入されており、その軸受溝１１７に内部体１２５の突起１２４が嵌合して軸１１６の脱落が防止されている。
【００３９】
シャッター１１５は、両軸１１６を中心にして起立位置と倒伏位置とに往復揺動可能で、起立位置では入賞開口１１２を閉鎖し、倒伏位置では開放する。また、倒伏位置では入賞開口１１２の前方に突出するので、上方から落下してくる遊技球を受け止めて、これを入賞開口１１２に導き入れる働きをする。シャッター１１５には梃子受１１８が備わっており、この梃子受１１８を介して作用する力により起立位置と倒伏位置とに往復駆動される（駆動機構については後述）。
【００４０】
軸１１６の軸芯Ｃは、図１４に示すように取付板１１１の表面よりも手前（遊技者側）とされており、本実施例の場合取付板１１１のフランジ部１１１ｂの板厚Ｔ１が２ｍｍであり軸芯Ｃは取付板１１１の背面（遊技盤の表面）から３ｍｍの距離にある。なお、突出部１１１ａの突出量は３ｍｍで取付板１１１の背面から突出部１１１ａの表面までの距離Ｔ２は５ｍｍである。
【００４１】
軸１１６の軸芯Ｃが取付板１１１の背面（すなわち遊技盤の表面）から３ｍｍ遊技者側にあるので、軸芯Ｃからガラス板までの距離を小さくできる。これに応じて軸芯Ｃからシャッター１１５の先端までの寸法を小さくできるから、シャッター１１５の該寸法に対応する入賞開口１１２の開口高さを小さくできる。本実施例の場合入賞開口１１２の開口高さは約１８．４ｍｍで、従来品（出願人の製品）と比較して約３ｍｍ小さくなっている。この結果、入賞開口１１２が設けられている部分の上下寸法も小さくできる。本実施例の場合、図１３のＤ−Ｄ線による取付板１１１の断面の上下寸法は３８ｍｍであり、従来品よりも約３ｍｍ小さくなっている。
【００４２】
また、シャッター１１５は起立して入賞開口１１２を閉鎖する状態では突出部の内部に収容され、その外面（倒伏させたときに下側になる面）は入賞開口１１２に露出されてはいるが突出部よりも突き出てはいない。
シャッター１１５の背後側にはステージ１２０が配される。ステージ１２０の前面側には段差１２１が設けられている。この段差１２１はシャッター１１５の後縁部（軸よりもステージ１２０側の部分）との干渉を避けるために設けられている。ステージ１２０の中央部１２２は手前（入賞開口１１２側）が高く奥が低い傾斜となり、その左右部分１２３はそれぞれ中央部１２２側を低くする傾斜となっている。ステージ１２０は、その背後の内部体１２５によって保持されている。
【００４３】
内部体１２５には入賞開口１１２に対面する位置に受入室１２６が設けられ、ステージ１２０はこの受入室１２６に収容されている。受入室１２６の奥に配されている内壁１２７には門部１２７ａが開口されており、その奥には門部１２７ａにて受入室１２６と連通する振分部１２８が設けられている。
【００４４】
振分部１２８は横仕切１３０にて上下に分割され、横仕切１３０の下側部分は縦仕切１２９によって左右に分割されている。横仕切１３０には落下口１３１、１３２が設けられ、縦仕切１２９の左右はそれぞれ切欠状になっている。また縦仕切１２９の両サイドにはセンサ保持溝１３３、１３４が設けられており、それぞれＶスイッチ１３９、カウントスイッチ１４０を保持している。これらＶスイッチ１３９及びカウントスイッチ１４０の通過口１３９ａ、１４０ａはそれぞれ落下口１３１、１３２に対応した位置になり、遊技球が落下口１３１から通過口１３９ａを通って、また落下口１３２から通過口１４０ａを通って落下できる。遊技球は通過口１３９ａ、１４０ａを通過する際にスイッチ１３９、１４０を作動させることで検出される。これら通過口１３９ａ、１４０ａがそれぞれ第１の内部領域と第２の内部領域に該当する。
【００４５】
内部体１２５の背後の正面側から見て右側になる部分にはシャッター１１５を駆動するための機構（開閉機構）が配されている。この開閉機構は、内部体１２５の背面に立設された支持ピン１４３、支持ピン１４３にて軸支される梃子部材１４２、これをカバーする梃子カバー１４４、駆動源となる開閉ソレノイド１４７、開閉ソレノイド１４７を支持するサポート１４５によって構成されている。
【００４６】
梃子部材１４２は軸穴１４２ａ、Ｃ字状の保持部１４２ｂ及びピン部１４２ｃを備えている。軸穴１４２ａは支持ピン１４３に外嵌されており、梃子部材１４２は支持ピン１４３を中心にして回動自在である。保持部１４２ｂはシャッター１１５の梃子受１１８をくわえるようにして保持しており、ピン部１４２ｃは梃子カバー１４４の穴１４４ａを貫通している。開閉ソレノイド１４７のプランジャヘッド１４７ａにはＬ字状の中継部材１４８が取り付けられており、その長穴１４８ａに梃子部材１４２のピン部１４２ｃが挿通されている。これにより、開閉ソレノイド１４７のオン、オフに応じてシャッター１１５を開閉（オンでシャッター１１５を倒しオフで起立させることが）できる。
【００４７】
内壁１２７を挟んでこの開閉機構とは反対側になる位置には、横仕切１３０上に載置された移動体１５４を左右に往復駆動するための往復駆動機構が配されている。なお、移動体１５４の下面には４箇所の突起１５４ａが設けられておりこれら突起１５４ａのみが横仕切１３０に接触している。
【００４８】
往復駆動機構は、内壁１２７の背面に立設された軸ピン１５５、軸ピン１５５に軸支されたスライド梃子１５３、駆動源となる切換ソレノイド１５０、切換ソレノイド１５０を支持するサポート１４９によって構成されている。
スライド梃子１５３は、軸穴１５３ｂ、主軸１５３ｃ及びピン部１５３ａを備えている。軸穴１５３ｂは軸ピン１５５に外嵌されており、スライド梃子１５３は軸ピン１５５を中心にして回動自在である。
【００４９】
切換ソレノイド１５０のプランジャヘッド１５０ａにはＬ字状の中継部材１５１が取り付けられており、その長穴１５１ａにスライド梃子１５３の主軸１５３ｃが挿通されている。そして、主軸１５３ｃから延出されたピン部１５３ａが移動体１５４の上面に立設された梃子穴１５４ｂに挿通されている。
これにより、切換ソレノイド１５０のオン、オフに応じて移動体１５４を左右にスライドさせることができる。
【００５０】
移動体１５４には横長の通過穴１５８が設けられている。この通過穴１５８の短径は遊技球の直径を上回っており、遊技球が通過できる。長径はスイッチ１３９、１４０の通過口１３９ａ、１４０ａの軸間距離よりも十分に長い。また、移動体１５４の前方側（入賞開口１１２側）の縁からは一対の邪魔板１５９、１６０が立設されている。邪魔板１５９、１６０同士の間隔は、スイッチ１３９、１４０の通過口１３９ａ、１４０ａの軸間距離とほぼ等しく、また遊技球の直径の２倍を越えている。邪魔板１５９、１６０の横断面の形状はくさび状であり、前面（入賞開口１１２側の面）は、そこに衝突した遊技球を邪魔板１５９、１６０同士の間隔側へ導くテーパ面１５９ａ、１６０ａとなっている。
【００５１】
そして、移動体１５４を覆うようにして背後体１４６が配されている。背後体１４６には一対のスライドサポート１６１ａ、１６１ｂが備わっている。これらスライドサポート１６１ａ、１６１ｂは横仕切１３０とほぼ一連の面を形成し、左右にスライドした際に横仕切１３０からはみ出した移動体１５４を支える。また、背後体１４６とステージ１２０とで移動体１５４の前後方向の移動を規制している。
【００５２】
移動体１５４は切換ソレノイド１５０のオン、オフに応じて左右にスライドさせられるが、その際に通過穴１５８はスイッチ１３９、１４０の通過口１３９ａ、１４０ａの上方を移動する。
切換ソレノイド１５０がオンのとき（プランジャを引き込んでいるとき）には、邪魔板１６０がステージ１２０から通過口１４０ａに至る経路を遮り、邪魔板１５９がステージ１２０から通過口１３９ａに至る経路より退去した位置になる。このとき、通過穴１５８の邪魔板１６０側の端１５８ｃは通過口１４０ａを移動体１５４に投影した領域とほぼ整合する位置にあり、通過穴１５８から通過口１４０ａへの遊技球の移動を阻害しない。また、通過穴１５８の邪魔板１５９側の端１５８ｂは通過口１３９ａを移動体１５４に投影した領域から十分に外れた位置にある。
【００５３】
一方、切換ソレノイド１５０がオフのとき（プランジャが突き出されているとき）には、邪魔板１５９がステージ１２０から通過口１３９ａに至る経路を遮り、邪魔板１６０がステージ１２０から通過口１４０ａに至る経路より退去した位置になる。このとき、通過穴１５８の邪魔板１５９側の端１５８ｂは通過口１３９ａを移動体１５４に投影した領域とほぼ整合する位置にあり、通過穴１５８から通過口１３９ａへの遊技球の移動を阻害しない。また、通過穴１５８の邪魔板１６０側の端１５８ｃは通過口１４０ａを移動体１５４に投影した領域から十分に外れた位置にある。
【００５４】
こうした構成であるので、切換ソレノイド１５０がオンのときには入賞開口１１２からステージ１２０上に流入した遊技球は通過口１３９ａ方向に導かれる。しかし、邪魔板１６０は通過口１４０ａの前方のみを遮り、縦仕切１２９の上方を遮るわけではないから、遊技球がステージ１２０から縦仕切１２９の上方を通って通過穴１５８から通過口１４０ａに流入できる。本実施例で実験したところ、この状態では入賞開口１１２から流入した遊技球の内ほぼ８０％が通過口１３９ａに流入しほぼ２０％が通過口１４０ａに流入した。
【００５５】
一方、切換ソレノイド１５０がオフのときには入賞開口１１２からステージ１２０上に流入した遊技球は通過口１４０ａ方向に導かれる。しかし、邪魔板１５９は通過口１３９ａの前方のみを遮り、縦仕切１２９の上方を遮るわけではないから、遊技球がステージ１２０から縦仕切１２９の上方を通って通過穴１５８から通過口１３９ａに流入できる。本実施例で実験したところ、この状態では入賞開口１１２から流入した遊技球の内ほぼ８０％が通過口１４０ａに流入しほぼ２０％が通過口１３９ａに流入した。
【００５６】
いずれの場合も、邪魔板１５９、１６０のテーパ面１５９ａ、１６０ａが遊技球を邪魔板１５９、１６０の間に効率よく誘導した。
以上のように、このアタッカー１１０は、移動体１５４を左右に移動させることにより、入賞開口１１２から流入した遊技球すなわち入賞球を通過口１３９ａまたは通過口１４０ａに優先的に誘導できる。
【００５７】
このため、アタッカー１１０の開放初期から特定領域（通過口１３９ａ）に１球以上の入賞球が流入するまでは移動体１５４を図１３（ｂ）に示す位置（通過口１４０ａには流入しにくい状態）とし、通過口１３９ａに入賞球が流入した後に移動体１５４を図１３（ｄ）に示す位置（通過口１３９ａには流入しにくい状態）とすれば、入賞開口１１２の開放初期に入賞した遊技球は主に特定領域とされている通過口１３９ａに向かうことになるので、いずれか１球が特定領域に流入する可能性は高い。よって、継続開放の可能性が高まるから遊技者の要望に応じることができる。その後に移動体１５４の位置を変えて特定領域とされる通過口１３９ａには流入しにくい状態にすればよい。
【００５８】
このアタッカー１１０は、一対の邪魔板１６０を入賞開口１１２と通過口１４０ａとの間に割り込ませることで通過口１４０ａへ流入しにくくし（このとき他方の邪魔板１５９は入賞開口１１２から通過口１３９ａへ向かう球の移動を邪魔しない位置になっている。）、他方の邪魔板１５９を入賞開口１１２と通過口１３９ａとの間に割り込ませることで通過口１３９ａへ流入しにくくする（このとき邪魔板１６０は入賞開口１１２から通過口１４０ａへ向かう球の移動を邪魔しない位置となっている。）ので、簡単な構成で済む。
【００５９】
また、邪魔板１５９、１６０の入賞開口１１２側の面は、この面に衝突した遊技球を邪魔板１５９、１６０同士の間隔側へ導くテーパ面１５９ａ、１６０ａとされているので、入賞開口１１２を通過した遊技球が邪魔板１５９、１６０の入賞開口１１２側に停滞するおそれはない。
【００６０】
しかも、邪魔板１５９、１６０同士の間隔は２個の遊技球が同時に通過可能な間隔であるから、邪魔板１５９、１６０同士の間隔で遊技球が詰まるおそれもない。
実施例にしたがって本発明の実施の形態を説明したが、本発明はこれらの例に限定されるものではない。
【図面の簡単な説明】
【図１】実施例１のアタッカーの正面側斜視図である。
【図２】図１の分解図である。
【図３】実施例１のアタッカーの背面側斜視図である。
【図４】図３の分解図である。
【図５】実施例１のアタッカーにおいて背後体を撤去して切換ソレノイドをオフにした状態の背面図である。
【図６】図５のＡ−Ａ断面図である。
【図７】実施例１のアタッカーにおいて背後体を撤去して切換ソレノイドをオンにした状態の背面図である。
【図８】図７のＡ−Ａ断面図である。
【図９】実施例２のアタッカーの正面側（ａ）及び背面側（ｂ）の斜視図である。
【図１０】図９（ａ）の分解図である。
【図１１】図９（ｂ）の分解図である。
【図１２】図１１の下面側からの斜視図である。
【図１３】実施例２のアタッカーの開放時及び閉鎖時の説明図であり、図１３（ａ）は開放時の正面図、図１３（ｂ）は開放時の背後体を撤去した状態の背面図、図１３（ｃ）は閉鎖時の正面図、図１３（ｄ）は閉鎖時の背後体を撤去した状態の背面図。
【図１４】実施例２のアタッカーの縦断面図であり、図１４（ａ）は図１３（ａ）のＤ−Ｄ断面図、図１４（ｂ）は図１３（ｃ）のＤ−Ｄ断面図である。
【符号の説明】
１０        アタッカー（入賞装置）
１２        入賞開口
１５        シャッター（開閉板）
２０        ステージ
２５        内部体
２６        受入室
２８        振分室
２９        仕切
３９        Ｖスイッチ
３９ａ    通過口（第１の内部領域、特定領域）
４０        カウントスイッチ
４０ａ    通過口（第２の内部領域、非特定領域）
４６        背後体
４７        開閉ソレノイド
４８        中継部材
５０        切換ソレノイド（駆動手段）
５１        中継部材（駆動手段）
５３        第１梃子（駆動手段）
５４        移動体
５７        第２梃子（駆動手段）
５８        スライド板
５９、６０            邪魔板
５９ａ、６０ａ    テーパ面
１１０    アタッカー（入賞装置）
１１２    入賞開口
１１５    シャッター（開閉板）
１２０    ステージ
１２５    内部体
１２６    受入室
１２８    振分部
１２９    縦仕切
１３０    横仕切
１３９    Ｖスイッチ
１３９ａ                通過口（第１の内部領域、特定領域）
１４０    カウントスイッチ（第２の内部領域、非特定領域）
１４０ａ                通過口
１４６    背後体
１４７    開閉ソレノイド
１４８    中継部材
１５０    切換ソレノイド（駆動手段）
１５１    中継部材（駆動手段）
１５３    スライド梃子（駆動手段）
１５４    移動体
１５８    通過穴
１５９、１６０    邪魔板
１５９ａ、１６０ａ  テーパ面
【図１】
0003580762.tif 000002
【図２】
0003580762.tif 000003
【図３】
0003580762.tif 000004
【図４】
0003580762.tif 000005
【図５】
0003580762.tif 000006
【図６】
0003580762.tif 000007
【図７】
0003580762.tif 000008
【図８】
0003580762.tif 000009
【図９】
0003580762.tif 000010
【図１０】
0003580762.tif 000011
【図１１】
0003580762.tif 000012
【図１２】
0003580762.tif 000013
【図１３】
0003580762.tif 000014
【図１４】
0003580762.tif 000015